(57)【要約】  解放可能な取付け装置は、該装置上に保持された小さな携帯可能な物品の格納、展開及び取り外しを許容する複数の構成要素を有する。一つの実施形態において前記装置は、ハウジングを有する引き込み可能ユニットを有し、このハウジングの内側にはリールと、該リールの回転を付勢するスプリング・コイルと、前記リール上に保持された伸張部材とが設けられる。ハウジングは、コネクタを引き込み可能ユニットに対する格納形態へと引込む際に伸張部材が完全に引き込まれたときにコネクタの旋回動作を低減し且つ伸張部材に対する歪みを低減すべく、コネクタを緊密に受容する雌型開口を有する。前記装置は、小さな携帯可能な物品を保持するようになっている締結具であって、前記コネクタに対して取外し可能に取付けられた締結具を含む。前記装置は、リールの回転を許容する中立位置と、リールを回転に対してロックするというロック位置との間で移動可能なロックスイッチを含む。
2013517193.tif 000002
【特許請求の範囲】
【請求項１】
人により保持されるようになっている携帯式の解放可能な取付け装置において、
ハウジングと、該ハウジングの内側に取付けられた回転可能なリールと、前記リールの回転を一方向に付勢するスプリング・コイルと、前記リール上に保持された伸張部材とを有する引き込み可能ユニットであって、前記伸張部材が内側端部及び外側端部を有し、前記ハウジングが形成部を有し、前記伸張部材が前記形成部を通って該ハウジングの外側に延出するようになっている、引き込み可能ユニットと、
前記伸張部材の外側端部に取付けられたコネクタであって、該コネクタが末端及び基端を有し、該基端が当該コネクタが格納形態に在るときに前記ハウジングの形成部と接触するようになっている、コネクタと、
前記コネクタの末端に対して解放可能に取付けられるようになっている基端を有する締結具であって、少なくとも一つの物品を保持するようになっている部材を有する、締結具とを具備する、取付け装置。
【請求項２】
前記ハウジングの形成部は雌型開口であり、且つ、前記コネクタの基端は前記雌型開口内に受容される雄型形成部である、請求項１記載の装置。
【請求項３】
前記ハウジングの形成部は雄型形成部であり、且つ、前記コネクタの基端は前記雄型形成部を受容する雌型形成部である、請求項１記載の装置。
【請求項４】
前記コネクタの雄型基端部及び前記ハウジングの雌型開口は、前記コネクタが格納形態に在るときに前記ハウジングに対する前記コネクタの横方向移動を制限する、請求項１記載の装置。
【請求項５】
前記コネクタの末端は雄型形成部を含み、且つ、前記締結具の基端は前記雄型形成部を受容するようになっている雌型形成部を含む、請求項１記載の装置。
【請求項６】
前記ハウジング上に取付けられ、中立位置及びロック位置を採用するようになっているスイッチを更に具備する、請求項１記載の装置。
【請求項７】
前記スイッチは、該スイッチの移動に応じて前記リールに対してロック係合及びロック係合解除すべく移動可能な部材を有する、請求項６記載の装置。
【請求項８】
前記ハウジングは、前記移動可能な部材を移動させて前記リールと接触させるようになっているロックカムを含む、請求項７記載の装置。
【請求項９】
前記ハウジングは、前記移動可能な部材を移動させて前記リールとの接触から解放するようになっている解放カムを含む、請求項７記載の装置。
【請求項１０】
前記締結具は、該締結具と解放可能に係合するようになっている少なくとも一つの端部を有するＵ形状部材を含む、請求項１記載の装置。
【請求項１１】
前記コネクタは、該コネクタ及び前記締結具が相互に対して取付けられている間、前記Ｕ形状部材の一部分に当接するようになっている少なくとも一つの停止部材を有する、請求項１０記載の装置。
【請求項１２】
前記コネクタの雄型末端形成部は、前記締結具に対して掛止されるようになっている少なくとも一つの突起部を含む、請求項１記載の装置。
【請求項１３】
人の身体上に保持されるようになっている携帯式の解放可能な取付け装置において、
ハウジングと、該ハウジングの内側に取付けられた回転可能なリールと、前記リールの回転を一方向に付勢するスプリング・コイルと、前記リール上に保持された伸張部材とを有する引き込み可能ユニットであって、前記伸張部材が内側端部及び外側端部を有し、前記ハウジングが雌型開口を有し、前記伸張部材が前記雌型開口を通って該ハウジングの外側に延出するようになっている、引き込み可能ユニットと、
前記伸張部材の外側端部に取付けられたコネクタ部材であって、該コネクタが末端部及び雄型基端部を有し、該雄型基端部が前記ハウジングの雌型開口内に受容されるようになっている、コネクタ部材と、
前記コネクタに対して解放可能に取付けられた締結具部材とを具備し、
前記コネクタ部材及び前記締結具部材から成る群から選択された少なくとも一つの部材は、格納形態及び展開形態を取り得るべく構成される、取付け装置。
【請求項１４】
前記コネクタの雄型基端部及び前記ハウジングの雌型開口は相互に嵌合されて、前記コネクタが前記格納形態に在るときに前記ハウジングに対する前記コネクタの横方向動作を阻止する、請求項１３記載の装置。
【請求項１５】
前記締結具は、該締結具が前記コネクタから取り外されたときにのみ該締結具から解放可能である部材を含む、請求項１３記載の装置。
【請求項１６】
前記ハウジングは、前記リールが回転し得る中立位置と、前記リールが回転に対してロックされるロック位置との間で移動可能なスイッチを含む、請求項１３記載の装置。
【請求項１７】
前記ハウジングは２つのハウジング半体を有し、これら２つのハウジング半体の間に前記スイッチが移動可能に挟持される、請求項１６記載の装置。
【請求項１８】
前記スイッチは、前記中立位置及び前記ロック位置において前記ハウジングに対して解放可能にロックされるようになっている、請求項１６記載の装置。
【請求項１９】
前記スイッチは、外側インタフェース部分、内側スライダ部分、及び内側ラチェット部分を含む、請求項１６記載の装置。
【請求項２０】
前記雄型基端部は楔形状の断面を有する、請求項１３記載の装置。
【請求項２１】
前記雌型開口は楔形状の断面を有する、請求項２０記載の装置。
【請求項２２】
前記部材はループを形成する、請求項１５記載の装置。
【発明の詳細な説明】
【技術分野】
【０００１】
本発明は、人の身体上に保持され得る簡易脱着式コネクタに関し、特に、工具、道具、小型の電子デバイス、バッジなどの小さい物品を拘束し得る簡易脱着式コネクタに関する。
【背景技術】
【０００２】
解放可能な取付具を備えた装置、特に、キー、バッジ、道具、ホイッスル及び小さな工具のような小さい携帯可能な物品を保持する上で個人的利用される装置が知られている。また斯かる物品を、引き込み可能なリール上に巻回されたケーブル、チェーン、コード、又は、単繊維など（本明細書においては集合的に“伸張部材”と称される）の末端に取付けられたリング上に吊すことも知られており、その場合に斯かるリールは、ベルト又はウエストバンドに対して掛止され得るハウジング内に収容される。引き込み可能なリールは従来的から、物品が使用中のときには伸張部材を伸張させ且つ斯かる使用が完了したときには引き込むことができるようにするが、伸張部材は、特に物品が吊されるリングに対する取付け箇所にて、歪み及び疲労を受ける複数の主要構成要素の内のひとつであり得る。特に、伸張部材が引き込まれるとき及び／又は装置のユーザが歩行しているときなどにおける物品の旋回動作により、伸張部材は取付け箇所にて摩滅される。このため、装置の大部分は良好な作用状態にあるが、伸張部材は、リング、及びこのリング上の物品が装置から容易に完全に脱落するという段階へと早期に摩滅される。
【０００３】
引き込み可能なリールの回転を制御するロック機構も知られている。ロック機構は、引き込み可能な巻尺と共に使用されることが多い。しかし斯かるロック機構は複数の移動部材により複雑になるため、製造コスト、動作不良及び破断の虞れ、及び／又は全体的な重量及びサイズが大きくなる。
【０００４】
キー・チェーン上には通常、キー及び他の小さな携帯可能な物品を着脱自在に取付け得る手段として、螺旋状の金属リングが配備される。斯かるリングはキー又は他の小さな携帯可能な物品を確実に取付けるが、ユーザが該リングをこじ開けるためには、器用さ及び腕力が必要とされることが多い。更にリングの螺旋状の構成は、一定の物品が容易に摺動挿入もしくは離脱されることを許容しない。
【発明の概要】
【発明が解決しようとする課題】
【０００５】
従って、解放可能な取付け装置は、伸張部材上における摩滅及び裂断を最小限とすべく、取付けられた物品とハウジングとの間における旋回動作を、排除しなくとも、最小限とする取付具を提供することが望ましい。更に、解放可能な取付け装置は、簡素な設計態様のロック機構であって、最小個数の構成要素を使用することにより製造コスト、動作不良の虞れ、及び／又は、全体的なサイズ及び重量を低減するというロック機構を提供することが望ましい。更に、解放可能な取付け装置は、物品を確実な様式で容易に取り付け且つ取り外し得る手段を提供することが望ましい。
【課題を解決するための手段】
【０００６】
本発明は、当該装置上に保持された小さな携帯可能な物品の簡単な格納、展開及び取り外しを許容する複数の構成要素を有する、個人的利用のための携帯式の解放可能な取付け装置に関する。一つの実施形態において上記装置は、ハウジングを有する引き込み可能ユニットを有し、このハウジングの内側には、リールと、このリールの回転を付勢するスプリング・コイルと、リール上に保持された伸張部材とが設けられる。本発明の特徴によれば、ハウジングは、コネクタを引き込み可能ユニットに対する格納形態へと引込む際に伸張部材が完全に引き込まれたときにコネクタにおける旋回動作が最小限であり、よって伸張部材に対する歪みが最小限になるようにコネクタが結合し得る雌型開口を有する。装置はまた、小さな携帯可能な物品を保持するようになっている締結具であって、コネクタに対して取外し可能に取付けられる締結具も含んでいる。装置はまた、リールの回転を許容する中立位置と、リールを回転に対してロックするというロック位置との間で移動可能なロックスイッチも含んでいる。
【０００７】
更に詳細な実施形態において、スイッチは、該スイッチのラチェットを移動させてリールに対してロック接触させることで該リールを回転に対してロックするようになっているロックカム、及び、ラチェットを移動してリールとの接触から解放するようになっている解放カムに対し、相互作用する。同様に更に詳細な実施形態において、締結具は、該締結具と解放可能に係合するようになっている少なくとも一つの端部を有するＵ形状部材を含み、端部は、該締結具がコネクタから取り外されなければ、解放が防止される。
【０００８】
本発明はまた、コネクタ部材及び／又は締結具が格納形態及び展開形態を取るべく構成され、且つ、締結具が更にコネクタが格納されるか展開されるかに関わらずに取り外し形態を取り得るべく構成される、解放可能な取付け装置の実施形態にも関する。
【０００９】
本発明のこれらの及び他の特徴及び利点は、添付図面と併せて考慮される以下の詳細な説明を参照すれば更に良好に理解されよう。
【図面の簡単な説明】
【００１０】
【図１】図１は、本発明に係る解放可能な取付け装置の一実施形態の正面図である。
【図１Ａ】図１Ａは、図１の装置の展開形態における正面図である。
【図１Ｂ】図１Ｂは、図１の装置の展開／取り外し形態における正面図である。
【図１Ｃ】図１Ｃは、コネクタが格納形態とされ、締結具が展開／取り外し形態とされ、且つ、二重コネクタが開放形態とされた図１の装置の正面図である。
【図１Ｄ】図１Ｄは、コネクタが展開形態とされ、締結具が展開／取り外し形態とされ、且つ、二重コネクタが取り外し形態とされた図１の装置の正面図である。
【図２】図２は、請求項１の装置の側面図である。
【図３Ａ】図３Ａは、スイッチがロック位置とされた状態における、図１の装置のＡ−Ａ線に沿った断面図である。
【図３Ｂ】図３Ｂは、スイッチがロック位置とされた状態における、図１の装置のＢ−Ｂ線に沿った断面図である。
【図４】図４は、スイッチが中立位置とされた状態における、図１の装置のＡ−Ａ線に沿った断面図である。
【図５】図５は、コネクタの実施形態の斜視図である。
【図６】図６は、図５のコネクタの正面図である。
【図７】図７は、図５のコネクタの頂部平面図である。
【図８】図８は、スイッチの実施形態の側面図である。
【図８Ａ】図８Ａは、図８のスイッチのＡ−Ａ線に沿う断面図である。
【図８Ｂ】図８Ｂは、図８のスイッチのＢ−Ｂ線に沿う断面図である。
【図８Ｃ】図８Ｃは、図８のスイッチのＣ−Ｃ線に沿う断面図である。
【図９】図９は、締結具の実施形態の正面図である。
【図１０】図１０は、本発明のコネクタ及び締結具の代替実施形態の断面図である。
【発明を実施するための形態】
【００１１】
図１、図１Ａ、図１Ｂ、図１Ｃ及び図２は、相互から解放可能、分離可能、及び／又は、取り外し可能である複数の構成要素を備えた解放可能な取付け装置１０の実施形態を示している。装置１０は、たとえばキー、小さな工具もしくは道具、バッジなどのデバイス１７（図１Ｃ）のための、引き込みユニット１２、コネクタ１４及び締結具１６を有している。実際、上記装置は、円形部分及び長寸部分を備えたキーを擬態する全体的形状を有している。その基端１８においてコネクタ１４は、上記引き込みユニットから供与される伸張部材２０に対して拘束される。その末端２２にてコネクタ１４は、締結具１６に対して解放可能に結合され得る。好適には、引き込みユニット１２内に収容された引き込み可能なリールにより、コネクタ１４は締結具１６と共に容易に引き込みユニットに対する格納形態（図１）と、上記引き込みユニットから離間されるが依然として拘束される展開形態（図１Ａ）とを取ることができる。更に、コネクタ１４との解放可能な結合により、締結具１６は容易に、上記コネクタが展開されるか（図１Ｂ）あるいは格納されるか（図１Ｃ）に関わりなく、該コネクタ１４から分離された取り外し形態を取ることができる。更に、締結具１６は、該締結具１６に対して閉じられ（図１Ｂ）、開かれ（図１Ｃ）、又は、完全に取り外され得る（図１Ｄ）取付け部材１９を含んでいる。本発明によれば、コネクタ１４は、コネクタが格納形態に在るときにおける該コネクタの旋回動作を阻止はしなくとも、最小限とするようになっており、この旋回動作は、そのようにしなければ該コネクタに対する取付箇所にて伸張部材２０を早期に脆弱化させるものである。更に、安全性のための特徴として、取付け部材１９は、締結具１６がコネクタ１４から取り外されたときにのみ、解放され得る。更に、引き込みユニット１２上のスイッチ５５は、ユーザが、引き込みユニット１２からの伸張部材２０の展開及び伸張をロック及びロック解除することができるようにする。引き込みユニット１２は、たとえば、図２に示されたようにハウジング３０に対して固着されたクリップ２５により、ベルト上に保持され得る。
【００１２】
上記ハウジングは、概略的に円形の断面を有することから図１に見られるような外側周縁部有し、図２に見られるような概略的に平坦な側面視輪郭を備え、且つ、図３Ａ及び図３Ｂに示されたような概略的に同様な２つのハウジング半体３０ａ及び３０ｂから形成される。ハウジング半体は、概略的に円形の周縁部３１（図２）に沿って相互に接触すべく構成される。各ハウジング半体の周縁部の頂部及び底部から外方に延在して上記ハウジングの平坦な側面視輪郭内に位置するのは、部分３２及び３３である。第２ハウジング半体３０ｂの頂部部分３２ｂは、上記平坦な側面視輪郭に対して直交して第１ハウジング半体３０ａに向かって延在する整列用突起部３４を有する。該突起部３４は、第１ハウジング半体３０ａの頂部部分３２ａに形成された凹所３５内に受容される。頂部部分３２ｂはまた、第１ハウジング半体３０ａに向けて延在する反対側の一対の周縁突出部３６を有し（図２も参照）、この一対の周縁突出部３６は、第１ハウジング半体３０ａの周縁部３１に形成された凹所３７内に受容される。同様に、頂部部分３２ａ及び３２ｂの各々には、ネジ（図示せず）を受容してハウジング半体３０ａ及び３０ｂを相互に解放可能に締結するようになっている整列された対応する貫通孔３８が設けられる。
【００１３】
ハウジング半体３０ａ及び３０ｂの底部部分３３ａ及び３３ｂもまた、ネジを受容して解放可能に該ハウジング半体３０ａ及び３０ｂを相互に締結するようになっている整列された対応する貫通孔３８を有する。本発明の特徴によれば、底部部分３３ａ及び３３ｂの各々は、協働してクレードルもしくは結合ステーションを形成する凹所形成部４０を有する。外向きの開口を備えた凹状の形成部により、上記クレードルは、同様に形状化はされなくても対応して形状化されたコネクタ１４の基端１８を形状適合的に受容し、基端１８は、伸張部材２０が完全に引き込まれたときと同様に、該コネクタが格納形態に在るときに上記クレードルに緊密に嵌合し得る。
【００１４】
伸張部材２０はリール４２上に巻回され、リール４２は、第２ハウジング半体３０ｂから第１ハウジング半体３０ａに向けて直角に突出する中央軸心部材４３回りで回転するようになっている。リール４２は、上記第１ハウジング半体と対面する第１側面と、上記第２ハウジング半体と対面する第２側面とを有している。上記第１側面と第２側面との間には、伸張部材２０が巻回される円周方向チャネル４５（図３Ｂ）が設けられる。上記第２ハウジング半体と対面するのは、軸心４３を囲繞する内側環状空間４６であり、この内側環状空間４６内には、スプリング・コイル４７がリール４２を付勢すべく着座しており、伸張部材２０をチャネル４５内に巻回して該伸張部材を引き込む方向に該リールを回転させる。コイル４７の内側端部は、軸心４３におけるスロット４８内に繋止される。コイル４７の外側端部は、リール４２に形成されたスロット４９内に繋止される。伸張部材２０の内側端部は、第２ハウジング半体３０ｂに対面する第２側面にてリール４２に形成された凹所５１に着座する端部キャップ５０内に繋止される。上記リールの第２側面には、伸張部材２０がチャネル４５にアクセスすることができるように切欠き５３が形成される。図３Ａにおいて、上記第１ハウジング半体に対面する上記リールの第１側面上には、以下において更に説明されるように、スイッチ５５と相互作用する複数の円周方向歯部５４が設けられる
【００１５】
伸張部材２０（たとえば、ケーブル、チェーン、コード又は単繊維など）は、その末端がスプリング・コイル４７の引き込み付勢力を越えるのに十分な力で引っ張られたときに、リール４２から巻出されて引き込みユニット１２の外側へと延出する。末端が解放されたとき、伸張部材２０はスプリング・コイル４７の力を受けてリール４２上に巻き戻される。図３Ａ、図３Ｂ、図５及び図６を参照すると、伸張部材の末端は、クレードル４０により画成された開口を介してハウジング３０の外側に延出する軸受のような継手５６内に固定される。継手５６はコネクタ１４の雄型基端１８内に繋止され、伸張部材２０は、コネクタに形成された中央通路５７を貫通通過する。通路５７は、広幅の通路と、狭幅の通路であって、継手５６が通過し得ないのでコネクタ１４を伸張部材２０上に拘束する狭幅の通路との間における停止用接合箇所５８を有する。コネクタ１４の雄型基端１８は、伸張部材２０がリール４２上に完全に引き込まれたとき、雌型クレードル４０の開口を介して該クレードル内へと引込まれる。雄型基端１８と雌型クレードル４０との間の密接嵌合によれば、ハウジング３０に対するコネクタ１４の旋回動作を有利に防止し、この旋回動作は、防止しなければ、コネクタに対する取付箇所にて又はその近傍にて伸張部材２０の早期の摩滅及び裂断を引き起こすであろうものである。図示した実施形態において、雄型及び雌型の形成部１８及び４０は、広幅の末端側横方向寸法及び狭幅の基端側横方向寸法（図３Ａ、図３Ｂ及び図６）を有すると共に一実施形態（図７）においては両方が概略的に矩形の断面を有すべく楔状又は先細状（たとえば台形状）とされる。引き込みリール４２に対して作用するスプリング・コイル４７の能動的な張力を受けて雌型形成部４０内に一旦受容されてそこに維持されたなら、雄型基端１８は、ハウジング３０に対するコネクタ１４の動作を最小限とする。
【００１６】
引き込みユニット１２のスイッチ５５は、ユーザがリールの回転を制御することができるようにする。このスイッチは、リールが自由に回転することができるようにし、又は、いずれの方向においてもリールの回転をロックする。すなわち、スイッチ５５は、伸張部材２０の延出を制御する２つの位置、すなわち中立位置（図４）及びロック位置（図３Ａ及び図３Ｂ）の間で摺動可能である。図８の実施形態において示されたように、スイッチ５５は、ハウジング３０の周縁部に対応して該周縁部に形状適合する概略的に弧状の形状の長寸本体を有している。スイッチは、反対側にある、より薄い湾曲端部６４間の摩擦誘起外側面（たとえば、複数の平行な稜線部など）を備えた長寸の外側ユーザ・インタフェース部分６２を有する。隆起形成部６３は、ユーザの親指又は別の指と接触し、上記スイッチを中立位置とロック位置との間で摺動させるようになっている。スイッチはまた、内側の長寸のロック用スライダ６５と、このスライダから内方に延在するラチェット６６と、インタフェース部分６２とスライダ６５とを接続するネック部分６７とを有している。ハウジング３０には開口６８（図３Ａ及び図３Ｂ）が形成され、スイッチ５５が摺動可能でありながらも第１ハウジング半体３０ａと第２ハウジング半体３０ｂとの間に挟持された状態で、ネック６７がこの開口を通って延在する。インタフェース部分６２は露出されるが、スライダ６５及びラチェット６６は上記ハウジングの内側とされる。ハウジングにおける開口６８は円周方向寸法において十分に長寸とされることで、ネック６７を受容し、且つ、中立位置とロック位置との間において円周方向にスイッチ５５が摺動動作することができるようにする。インタフェース部分６２は円周方向寸法において十分に長寸とされることで、スイッチがいずれの位置にあるときでも、開口６８を覆う。スライダ６５もまた、円周方向において長寸とされる。スライダ６５の各端部にて、スライダの外向き表面上には、隆起形成部７０が設けられる。各隆起形成部７０は、第１ハウジング半体３０ａの周縁部３１の内側面に形成された凹所７３と係合することで、スイッチ５５をロック位置に解放可能にロックし得る（図３Ａ）。
【００１７】
図８、図８Ａ〜図８Ｃの実施形態では、インタフェース部分が円周方向寸法において最大長さを有し、スライダ及びラチェットはより短い長さを有している。幅寸法において、インタフェース部分６２は最大幅を有すると共に、スライダ６５はより小さい幅を有し、且つ、ラチェット６６は最も小さい幅を有する。故に、インタフェース部分６２はハウジング半体３０ａ及び３０ｂの両方に亙り張り亙るが、スライダ６５及びラチェット６６は基本的に、第１ハウジング半体３０ａ内に位置している。インタフェース部分６２とスライダ６５との間においてネック６７に隣接する間隙６９は主として、第２ハウジング半体３０ｂから延在する各周縁突出部３６のうちの一つにより占有される。図示した実施形態において、各隆起形成部７０は、スライダ６５の幅の約半分だけ延在する。
【００１８】
ラチェット６６と相互作用するのは解放カム７５及びロックカム７６であり、これらは第１ハウジング半体３０ａの内側面上の突出部として形成され、第２ハウジング半体３０ｂに向けて突出する。解放カム７５は、スイッチ５５の近傍に載置されると共に、解放カムは、リール４２の曲率もしくは円周部に概略的に追随する外向き表面７７を備えた長寸とされ、この外向き表面７７はラチェットの取付け端部の近傍においてラチェットの内向き表面に接触する。スイッチ５５が（図４の反時計回りに）中立位置へと移動されたとき、解放カム７５の外向き表面７７は、リール４２がスプリング・コイル４７の力を受けて一方向に回転し得るか又は伸張部材２０を引張ることで伸張させるユーザの力を受けて他方向に回転し得るように、上記ラチェットの拡大端部７８が一切の歯部５４との接触から解放されるように、ラチェット６６を外方に押圧し得る。特に、スライダ６５上の隆起形成部７０は、拡大端部７８が各歯部５４から撓曲離間されることを確実とする上で、ラチェット６６を解放カム７５に向けて内方に押圧することを補助する。
【００１９】
ロックカム７６は拡大端部７８の近傍に載置されると共に、ロックカムは、円周方向に対して角度付けされた表面９１を備える概略的に三角形の形状である。スイッチ５５が（図３Ａにおける時計回り方向において）ロック位置へと移動されるにつれ、ロックカム７６の表面９１は拡大端部７８に接触してそれを内方に押圧して、一つの歯部５４と係合させ、いずれの方向においてもリール４２の回転をロックする。
【００２０】
スイッチ５５は、ラチェット６６がカム７５及び７６と解放可能に相互作用し且つリール４２に係合することを可能とすべく、十分に堅固でありながらも可撓性を有し且つ弾性的な任意の適切な材料で作成され得る。アセタール樹脂のようなプラスチックは、適切な材料である。
【００２１】
図５及び図６を参照すると、伸張部材２０の外側端部におけるコネクタ１４は、末端雄型部分２２を有する。基端部分１８及び末端部分２２は共に、上記コネクタが格納形態（図２）に在るときに引き込みユニット１２の平坦な側面視輪郭と整列する概略的に平坦な側面視輪郭を呈する。コネクタの末端雄型部分２２は、締結具１６の基端雌型部分８６（図９）内に受容されるようになっている。図５及び図６に開示された実施形態では、末端雄型部分２２は基端雄型部分１８から末端方向に突出すると共に、末端雄型部分は、外方を向く反対側の一対の長寸の変形可能な突起部８１を含む（各々が捕捉用突出部８２を備える）。２つの側部突起部８１の中間には、各突起部８１と共面的に位置する複数の長寸停止部材８３が在る。図示されたように、雄型部分２２は単一の平面内に位置し、該平面もまた、コネクタ１４がハウジング３０の受容雌型クレードル４０（図２）内に嵌合されたときにハウジング３０と共面的である傾向がある。各長寸停止部材又は停止用突起部８３は、各側部突起部８１に対して平行であり、且つ、該側部突起部８１と概略的に等しい長さである。コネクタ１４は、たとえばＤＥＬＲＩＮ（登録商標）の名称で販売されるようなアセタール樹脂材料などの任意の適切な材料であって、各側部突起部８１が締結具１６に挿入されるように各側部突起部８１が相互に向けて内方に押圧されることができるように、且つ側部突起部８１が締結具１６内にロックされるように弾性的に戻ることができるように、十分な剛性及び弾性を提供する任意の適切な材料で作成され得る。
【００２２】
図９を参照すると、締結具１６は、締結具１６が格納形態（図２）においてコネクタ１４に係合されたときにコネクタ１４及び引き込みユニット１２と整列する概略的に平坦な側面視輪郭を備えた「ポケット」本体８５を有している。本体８５は開口を画成する基端雌型部分８６を有しており、この開口を介してコネクタ１４の雄型末端部分２２が貫通挿入されて本体の内部キャビティ８７又はポケット内に受容される。内部キャビティ８７内には平坦な分割部材８８が配備され、且つ、上記本体には、コネクタ１４の側部突起部８１が外方に延出して捕捉部８２が当該長寸側部開孔８９の基端に掛止し得るように、長寸側部開孔８９が形成される。各側部開孔８９はまた、ユーザが突起部８１にアクセスすることができるようにする。ユーザが各突起部８１を相互に握り込んだとき、コネクタ１４及び締結具１６は相互から解放される。材料及び重量を減少すると共に美観的な目的で、付加的開孔９０が配備される。上記締結具は、たとえばポリカーボネートのようなプラスチックなどの、十分な剛性を有する任意の適切な材料で作成され得る。
【００２３】
締結具１６の末端は、長寸の又は引張用の部材１０１（たとえば、ステンレス鋼ケーブルなど）を有するＵ形状二重コネクタ１９を備え、この部材１０１はループを形成すると共に、この部材の端部を備える２つの側部は、開孔９０の直ぐ末端側にて本体８５の反対側の横方向延長部１０４に形成された一対の凹所１０３内に解放可能に受容される継手１０２により被冠されている。部材１０１は、本体８５及び装置１０の平面内に位置する（図２）。継手１０２は、凹所１０３に対する締まり嵌め部を有する（それらは相互に対して緊密に嵌合する）。継手１０２と凹所１０３との間における締まり嵌めによれば、キーのような物品を掛止又は取り外すなどすべくユーザが１０１を軸心方向に押圧して継手の少なくとも一方を凹所から解放するまで、２つの継手１０２は凹所１０３内に固着される。凹所は外側にて閉塞されるが、各凹所は、解放されるべき部材１０１の側部をユーザが上方かつ基端方向に押圧すると継手１０２が延長部１０４を乗り越えて当該開口１０６を介して凹所１０３から解放されるように、相互に向けて内方を向く、部分的に閉塞されて角度付けされた開口１０６を有している。一つの継手が解放され（図１Ｃ）又は両方の継手が解放されると（図１Ｄ）、小さな工具又はキーが部材１０１に対して吊され又はそれから取り外され得る。有利には、締結具１６がコネクタ１４に結合されている間、各継手１０２は凹所１０３内に固着されて締結具から解放可能ではない。すなわち、コネクタ１４の各停止用突起部８３の端部は各継手１０２に当接し、該継手が凹所１０３から取り外されることを阻止する。このため、安全性の特徴として、部材１０１は、締結具１６がコネクタ１４から取り外されている間においてのみ、締結具１６から解放され得る。一つの実施形態においては、一方のみの継手が凹所から取り外し可能であるが、他方の継手は凹所内に固定される（図１Ｃ）。別実施形態においては、両方の継手が各凹所から取り外し可能である（図１Ｄ）。
【００２４】
本発明の特徴によれば、コネクタ１４及び／又は締結具１６は、異なる用法及び用途に対して以下のような多くの構成を採用し得る。
【００２５】
（１）コネクタ及び締結具の両方が、格納形態にあって、引き込みユニットに取付けられて近接せしめられている、結合格納形態（図１）。
【００２６】
（２）コネクタ及び締結具の両方が、引き込みユニットから離間されるが、依然として引き込みユニットに対して取付けられている、結合展開形態（図１Ａ）。
【００２７】
（３）締結具がコネクタ及び引き込みユニットから分離され（図１Ｂ、図１Ｃ、及び、図１Ｄ）、コネクタが引き込みユニットに対して格納（図１Ｃ）又は展開（図１Ｂ及び図１Ｄ）されている、取り外し形態。
【００２８】
図１０に示されたような別の代替実施形態において、ハウジング半体３０ａ及び３０ｂの各々の底部部分３３は協働して、コネクタ１４の雌型基端部１１２に結合され又は緊密に受容される雄型形成部１１０を形成する。当業者であれば、上述の実施形態と同一の旋回防止機能を提供するにあたり、引き込みユニット１２とコネクタ１４との間のインタフェースを逆にすることができることは理解されよう。すなわち、雄型形成部１１０及び雌型基端部１１２は同様に、広幅の基端横方向寸法及び狭幅の基端横方向寸法を有すると共に、両方が概略的に矩形の断面を有する、楔形状又は先細状（たとえば台形状）とされ得る。相互に嵌合され、雄型形成部１１０及び雌型形成部１１２は、引き込みユニット１２に対するコネクタ１４の旋回動作を最小限とする態様で、コネクタ１４を引き込みユニット１２に対して固着する。当業者であれば、コネクタ１４が雌型末端を有し且つ締結具１６が末端を有しながら、該コネクタと締結具との間のインタフェースも逆にすることができることも理解されよう。
【００２９】
先の説明は、本発明の一定の好適な実施形態に関して提供された。本発明が関連する分野及び技術の熟練者であれば、記述された構造に対する改変及び変更は、本発明の原理、精神及び有効範囲から有意に逸脱することなく実施され得ることを理解し得よう。各図は必ずしも縮尺通りでないことは理解される。故に、上述の説明は、記述されて添付図面中に例示された厳密な構造にのみ関していると解釈されてはならない。むしろそれは、最も十分で最も明確な有効範囲を有するものとされる以下の各請求項と一致し且つそれらを支持すると解釈されるべきである。
【図１】
2013517193.tif 000003
【図１Ａ】
2013517193.tif 000004
【図１Ｂ】
2013517193.tif 000005
【図１Ｃ】
2013517193.tif 000006
【図１Ｄ】
2013517193.tif 000007
【図２】
2013517193.tif 000008
【図３Ａ】
2013517193.tif 000009
【図３Ｂ】
2013517193.tif 000010
【図４】
2013517193.tif 000011
【図５】
2013517193.tif 000012
【図６】
2013517193.tif 000013
【図７】
2013517193.tif 000014
【図８】
2013517193.tif 000015
【図８Ａ】
2013517193.tif 000016
【図８Ｂ】
2013517193.tif 000017
【図８Ｃ】
2013517193.tif 000018
【図９】
2013517193.tif 000019
【図１０】
2013517193.tif 000020
【手続補正書】
【提出日】平成24年8月27日(2012.8.27)
【手続補正１】
【補正対象書類名】明細書
【補正対象項目名】００１０
【補正方法】変更
【補正の内容】
【００１０】
【図１】図１は、本発明に係る解放可能な取付け装置の一実施形態の正面図である。
【図１Ａ】図１Ａは、図１の装置の展開形態における正面図である。
【図１Ｂ】図１Ｂは、図１の装置の展開／取り外し形態における正面図である。
【図１Ｃ】図１Ｃは、コネクタが格納形態とされ、締結具が展開／取り外し形態とされ、且つ、二重コネクタが開放形態とされた図１の装置の正面図である。
【図１Ｄ】図１Ｄは、コネクタが展開形態とされ、締結具が展開／取り外し形態とされ、且つ、二重コネクタが取り外し形態とされた図１の装置の正面図である。
【図２】図２は、図１の装置の側面図である。
【図３Ａ】図３Ａは、スイッチがロック位置とされた状態における、図１の装置のＡ−Ａ線に沿った断面図である。
【図３Ｂ】図３Ｂは、スイッチがロック位置とされた状態における、図１の装置のＢ−Ｂ線に沿った断面図である。
【図４】図４は、スイッチが中立位置とされた状態における、図１の装置のＡ−Ａ線に沿った断面図である。
【図５】図５は、コネクタの実施形態の斜視図である。
【図６】図６は、図５のコネクタの正面図である。
【図７】図７は、図５のコネクタの頂部平面図である。
【図８】図８は、スイッチの実施形態の側面図である。
【図８Ａ】図８Ａは、図８のスイッチのＡ−Ａ線に沿う断面図である。
【図８Ｂ】図８Ｂは、図８のスイッチのＢ−Ｂ線に沿う断面図である。
【図８Ｃ】図８Ｃは、図８のスイッチのＣ−Ｃ線に沿う断面図である。
【図９】図９は、締結具の実施形態の正面図である。
【図１０】図１０は、本発明のコネクタ及び締結具の代替実施形態の断面図である。
【手続補正２】
【補正対象書類名】明細書
【補正対象項目名】００２８
【補正方法】変更
【補正の内容】
【００２８】
図１０に示されたような別の代替実施形態において、ハウジング半体３０ａ及び３０ｂの各々の底部部分３３は協働して、コネクタ１４の雌型基端部１１２に結合され又は緊密に受容される雄型形成部１１０を形成する。当業者であれば、上述の実施形態と同一の旋回防止機能を提供するにあたり、引き込みユニット１２とコネクタ１４との間のインタフェースを逆にすることができることは理解されよう。すなわち、雄型形成部１１０及び雌型基端部１１２は同様に、広幅の基端横方向寸法及び狭幅の末端横方向寸法を有すると共に、両方が概略的に矩形の断面を有する、楔形状又は先細状（たとえば台形状）とされ得る。相互に嵌合され、雄型形成部１１０及び雌型形成部１１２は、引き込みユニット１２に対するコネクタ１４の旋回動作を最小限とする態様で、コネクタ１４を引き込みユニット１２に対して固着する。当業者であれば、コネクタ１４が雌型末端を有し且つ締結具１６が雄型基端を有しながら、該コネクタと締結具との間のインタフェースも逆にすることができることも理解されよう。
【手続補正３】
【補正対象書類名】特許請求の範囲
【補正対象項目名】全文
【補正方法】変更
【補正の内容】
【特許請求の範囲】
【請求項１】
人により保持されるようになっている携帯式の解放可能な取付け装置において、
ハウジングと、該ハウジングの内側に取付けられた回転可能なリールと、前記リールの回転を一方向に付勢するスプリング・コイルと、前記リール上に保持された伸張部材とを有する引き込み可能ユニットであって、前記伸張部材が内側端部及び外側端部を有し、前記ハウジングが形成部を有し、前記伸張部材が前記形成部を通って該ハウジングの外側に延出するようになっている、引き込み可能ユニットと、
前記伸張部材の外側端部に取付けられたコネクタであって、該コネクタが末端及び基端を有し、該基端が当該コネクタが格納形態に在るときに前記ハウジングの形成部と接触するようになっている、コネクタと、
前記コネクタの末端に対して解放可能に取付けられるようになっている基端を有する締結具であって、少なくとも一つの物品を保持するようになっている部材を有する、締結具とを具備する、取付け装置。
【請求項２】
前記ハウジングの形成部は雌型開口であり、且つ、前記コネクタの基端は前記雌型開口内に受容される雄型形成部である、請求項１記載の装置。
【請求項３】
前記ハウジングの形成部は雄型形成部であり、且つ、前記コネクタの基端は前記雄型形成部を受容する雌型形成部である、請求項１記載の装置。
【請求項４】
前記コネクタの雄型基端部及び前記ハウジングの雌型開口は、前記コネクタが格納形態に在るときに前記ハウジングに対する前記コネクタの横方向移動を制限する、請求項１記載の装置。
【請求項５】
前記コネクタの末端は雄型形成部を含み、且つ、前記締結具の基端は前記雄型形成部を受容するようになっている雌型形成部を含む、請求項１記載の装置。
【請求項６】
前記ハウジング上に取付けられ、中立位置及びロック位置を採用するようになっているスイッチを更に具備する、請求項１記載の装置。
【請求項７】
前記スイッチは、該スイッチの移動に応じて前記リールに対してロック係合及びロック係合解除すべく移動可能な部材を有する、請求項６記載の装置。
【請求項８】
前記ハウジングは、前記移動可能な部材を移動させて前記リールと接触させるようになっているロックカムを含む、請求項７記載の装置。
【請求項９】
前記ハウジングは、前記移動可能な部材を移動させて前記リールとの接触から解放するようになっている解放カムを含む、請求項７記載の装置。
【請求項１０】
前記締結具は、該締結具と解放可能に係合するようになっている少なくとも一つの端部を有するＵ形状部材を含む、請求項１記載の装置。
【請求項１１】
前記コネクタは、該コネクタ及び前記締結具が相互に対して取付けられている間、前記Ｕ形状部材の一部分に当接するようになっている少なくとも一つの停止部材を有する、請求項１０記載の装置。
【請求項１２】
前記コネクタの雄型末端形成部は、前記締結具に対して掛止されるようになっている少なくとも一つの突起部を含む、請求項１記載の装置。
【請求項１３】
前記コネクタ及び前記締結具から成る群から選択された少なくとも一つの部材は、格納形態及び展開形態を取り得るべく構成される、請求項１に記載の装置。
【請求項１４】
前記コネクタの雄型基端部及び前記ハウジングの雌型開口は相互に嵌合されて、前記コネクタが前記格納形態に在るときに前記ハウジングに対する前記コネクタの横方向動作を阻止する、請求項１３記載の装置。
【請求項１５】
前記締結具は、該締結具が前記コネクタから取り外されたときにのみ該締結具から解放可能である部材を含む、請求項１３記載の装置。
【手続補正４】
【補正対象書類名】図面
【補正対象項目名】図３Ａ
【補正方法】変更
【補正の内容】
【図３Ａ】
2013517193.tif 000021
【手続補正５】
【補正対象書類名】図面
【補正対象項目名】図３Ｂ
【補正方法】変更
【補正の内容】
【図３Ｂ】
2013517193.tif 000022
【国際調査報告】
2013517193.tif 000023